(57)【要約】【課題】設置するための調整の効率化が可能であり、不使用時のベッドの占有スペースを小さくすることができる吊りベッドを提供する。【解決手段】この吊りベッドは、ベッド本体１０と、ベッド本体１０の一端側および他端側をそれぞれ吊るすための一対の吊りベルト６０とを備え、ベッド本体１０の一端側および他端側には貫通孔が設けられ、各吊りベルト６０が、貫通孔を通過し、一端側が被取付部に取付けられる第１ベルト６１と、第１ベルト６１の他端側が挿通する挿通部を有し、被取付部に取付けられるベルト挿通部材７０と、ベルト挿通部材７０に取付けられ、第１方向に動くことによりベルト挿通部材７０に対する第１ベルト６１のベルト長手方向への移動を規制し、第２方向に動くことにより第１ベルトの前記移動を許容するカム部材８０と、カム部材８０を第２方向に動かす第２ベルト６２と、を有する。【選択図】図１１
2020078430.tif 000002
【特許請求の範囲】
【請求項１】
ベッド本体と、
前記ベッド本体における所定方向の一端側および他端側をそれぞれ吊るすための一対の吊りベルトとを備え、
前記ベッド本体における前記所定方向の前記一端側および前記他端側には、前記一対の吊りベルトが前記所定方向と直交する方向に挿通する貫通孔が設けられ、
前記各吊りベルトが、
前記貫通孔を通過し、一端側が被取付部に取付けられる第１ベルトと、
前記第１ベルトの他端側が挿通する挿通部を有し、前記被取付部、他の被取付部、又は前記第１ベルトの前記一端側に取付けられるベルト挿通部材と、
前記ベルト挿通部材に動作可能に取付けられ、第１方向に動くことにより前記ベルト挿通部材に対する前記第１ベルトの前記他端側のベルト長手方向への移動を規制し、前記第１方向と反対方向である第２方向に動くことにより前記第１ベルトの前記移動を許容するカム部材と、
前記カム部材に直接又は間接的に接続され、前記カム部材を前記第２方向に動かす第２ベルトと、
を有する吊りベッド。
【請求項２】
前記ベッド本体が、それぞれ前記所定方向に沿って延び互いに前記所定方向と直交する方向に間隔をおいて配置された一対のサイドベルトと、それぞれ前記直交する方向に沿って延び互いに前記所定方向に間隔をおいて配置された一対のシース部材と、前記一対のサイドベルトの間および前記一対のシース部材の間に配置されたネット本体部とを有し、
前記各シース部材内には、前記各シース部材をその長手方向に挿通する前記貫通孔が設けられている、請求項１に記載の吊りベッド。
【請求項３】
前記ベッド本体が、前記所定方向の前記一端側および前記他端側に前記貫通孔が設けられたネットと、前記ネット上に載置されるボードとを備える、請求項１に記載の吊りベッド。
【請求項４】
前記ボードが平面視で略長方形であり、
前記ボードが前記ネット上に載置された状態で、前記ネットの孔又は前記ネットと前記第１ベルトとの間に形成される孔に前記ボードの角部が挿入される、請求項３に記載の吊りベッド。
【請求項５】
前記カム部材の動作は揺動動作であり、
前記カム部材が、第１揺動方向に動くことにより前記ベルト挿通部材に対する前記第１ベルトの前記他端側のベルト長手方向への移動を規制し、前記第１揺動方向と反対方向である第２揺動方向に動くことにより前記第１ベルトの前記移動を許容するものである、請求項１〜４の何れかに記載の吊りベッド。
【請求項６】
前記第２ベルトが、前記第１ベルトと識別可能な態様を有する、請求項１〜５の何れかに記載の吊りベッド。
【発明の詳細な説明】
【技術分野】
【０００１】
本発明は吊りベッドに関する。
【背景技術】
【０００２】
従来、車室の天井、フレーム等から吊るすハンモックが知られている（例えば、特許文献１および特許文献２参照。）。
また、フレームから吊るすベッドが知られている（例えば、特許文献３参照。）
【先行技術文献】
【特許文献】
【０００３】
【特許文献１】実開昭６２−１６３１４３号公報
【特許文献２】特開２０００−３３３７３２号公報
【特許文献３】特開２００１−７００４１号公報
【発明の概要】
【発明が解決しようとする課題】
【０００４】
しかし、車室の天井、フレーム等から吊るすハンモックは、ハンモックを設置するための調整が限られているので、装着できる車室の構造等が限定されている。
また、フレームから吊るすベッドは、専用のフレームが必要になるので、フレームが存在する分だけ不使用時のベッドの占有スペースが大きい。
【０００５】
本発明は、前述の事情に鑑みてなされている。本発明の目的の一つは、設置するための調整の効率化が可能であり、不使用時のベッドの占有スペースを小さくすることができる吊りベッドの提供である。
【課題を解決するための手段】
【０００６】
上記課題を解決するために、本発明は以下の手段を採用する。
本発明の第１の態様の吊りベッドは、ベッド本体と、前記ベッド本体における所定方向の一端側および他端側をそれぞれ吊るすための一対の吊りベルトとを備え、前記ベッド本体における前記所定方向の前記一端側および前記他端側には、前記一対の吊りベルトが前記所定方向と直交する方向に挿通する貫通孔が設けられ、前記各吊りベルトが、前記貫通孔を通過し、一端側が被取付部に取付けられる第１ベルトと、前記第１ベルトの他端側が挿通する挿通部を有し、前記被取付部、他の被取付部、又は前記第１ベルトの前記一端側に取付けられるベルト挿通部材と、前記ベルト挿通部材に動作可能に取付けられ、第１方向に動くことにより前記ベルト挿通部材に対する前記第１ベルトの前記他端側のベルト長手方向への移動を規制し、前記第１方向と反対方向である第２方向に動くことにより前記第１ベルトの前記移動を許容するカム部材と、前記カム部材に直接又は間接的に接続され、前記カム部材を前記第２方向に動かす第２ベルトと、を有する。
【０００７】
当該態様では、カム部材を第２方向に動かす第２ベルトを有する。このため、第２ベルトを操作することによって、ベルト挿通部材による第１ベルトの移動規制を解除することができる。つまり、ベルト挿通部材が手の届きにくい高い位置等に配置されていても、ベルト挿通部材に対する第１ベルトのベルト長手方向の移動を行うことができる。つまり、ベルト挿通部材の位置に拘わらず、第１ベルトの一端側とベルト挿通部材との間の第１ベルトの長さ調整を行うことができる。
【０００８】
このため、例えば第１ベルトの一端側が部屋の天井の被取付部に取付けられ、ベルト挿通部材も部屋の天井の他の被取付部に取付けられた状態で、第１ベルトの一端側とベルト挿通部材との間の第１ベルトの長さを短くし、ベッド本体を天井の近くに配置して収納状態にすることができる。使用時は第２ベルトの操作により第１ベルトを長くすればよい。このような容易な作業で収納状態と使用状態との変更を行うことができるので、設置するための調整が効率化されていると言える。また、不使用時の占有スペースを小さくすることもできる。
【０００９】
上記態様において、好ましくは、前記ベッド本体が、それぞれ前記所定方向に沿って延び互いに前記所定方向と直交する方向に間隔をおいて配置された一対のサイドベルトと、それぞれ前記直交する方向に沿って延び互いに前記所定方向に間隔をおいて配置された一対のシース部材と、前記一対のサイドベルトの間および前記一対のシース部材の間に配置されたネット本体部とを有し、前記各シース部材内には、前記各シース部材をその長手方向に挿通する前記貫通孔が設けられている。
【００１０】
当該構成では、貫通孔がシース部材内に設けられており、シース部材がベッド本体の所定方向の一端側および他端側に配置されている。シース部材は筒状であることから、シース部材はベルト部材に比べてその長手方向に変形し難い傾向がある。また、シース部材の内周面と第１ベルトとの間の摩擦によって、シース部材はその長手方向により変形し難くなる。このため、ネット本体部に大きな荷重が加わった際に、ベッド本体の所定方向の一端および他端が所定方向と直交する方向に縮まり難い。これは、吊りベッドの安定性および寝心地の向上のために有利である。
【００１１】
上記態様において、好ましくは、前記ベッド本体が、前記所定方向の前記一端側および前記他端側に前記貫通孔が設けられたネットと、前記ネット上に載置されるボードとを備える。
当該構成では、ボードとネットとが別体となっているので、収納時の自由度が高くなる。
【００１２】
上記態様において、好ましくは、前記ボードが平面視で略長方形であり、前記ボードが前記ネット上に載置された状態で、前記ネットの孔又は前記ネットと前記第１ベルトとの間に形成される孔に前記ボードの角部が挿入される。
当該構成では、ネットの孔又はネットと第１ベルトとの間に形成される孔に略長方形のボードの角部を挿入することにより、ネット上でボードの位置が安定し、ネットの所定方向の端部の所定方向と直交する方向への変形がボードによって抑制される。これらは吊りベッドの安定性および寝心地の向上のために有利である。
【００１３】
上記態様において、好ましくは、前記カム部材の動作は揺動動作であり、前記カム部材が、第１揺動方向に動くことにより前記ベルト挿通部材に対する前記第１ベルトの前記他端側のベルト長手方向への移動を規制し、前記第１揺動方向と反対方向である第２揺動方向に動くことにより前記第１ベルトの前記移動を許容するものである。
当該構成は、ベルト挿通部材に対し第１ベルトがベルト長手方向に移動する時に自動でカム部材が第１方向に移動する機構を容易且つ強固に作るために有利である。
【００１４】
上記態様において、好ましくは、前記第２ベルトが、前記第１ベルトと識別可能な態様を有する。
当該構成は、第１ベルトおよび第２ベルトを用いながら、吊りベッドの位置および姿勢の調整を容易且つ確実に行うことができる。
【発明の効果】
【００１５】
本発明の吊りベッドは、設置するための調整の効率化が可能であり、不使用時のベッドの占有スペースを小さくすることができる。
【図面の簡単な説明】
【００１６】
【図１】本発明の第１実施形態の吊りベッドのネットの平面図である。
【図２】第１実施形態の吊りベッドのネットの斜視図である。
【図３】第１実施形態の吊りベッドのネットの正面図である。
【図４】第１実施形態の吊りベッドの吊りベルトの正面図である。
【図５】第１実施形態の吊りベッドの吊りベルトの平面図である。
【図６】第１実施形態の吊りベッドの吊りベルトの端部およびレールの斜視図である。
【図７】第１実施形態の吊りベッドの吊りベルトの要部断面図である。
【図８】第１実施形態の吊りベッドのネットの収納状態を示す図である。
【図９】第１実施形態の吊りベッドのネットの収納状態を示す図である。
【図１０】第１実施形態の吊りベッドの使用状態を示す図である。
【図１１】第１実施形態の吊りベッドの使用状態を示す図である。
【図１２】第１実施形態の吊りベッドの収納状態を示す図である。
【図１３】第１実施形態の吊りベッドのネットの収納状態を示す図である。
【図１４】第１実施形態の吊りベッドの使用状態を示す図である。
【図１５】第１実施形態の吊りベッドのネットの担架としての使用状態を示す図である。
【図１６】第１実施形態の吊りベッドの使用状態を示す図である。
【図１７】第１実施形態の吊りベッドの吊りベルトの変形例の正面図である。
【図１８】第１実施形態の吊りベッドのボードの断面図である。
【図１９】本発明の第２実施形態の吊りベッドのネットの平面図である。
【図２０】第２実施形態の吊りベッドのネットの正面図である。
【発明を実施するための形態】
【００１７】
本発明の第１実施形態に係る吊りベッドが、図面を用いながら以下説明されている。
本実施形態の吊りベッドは、図１０等に示されるように、ベッド本体１０と、ベッド本体１０における所定方向の一端側および他端側をそれぞれ吊るすための一対の吊りベルト６０とを備えている。図１および図２に示されるように、前記所定方向は一例ではベッド本体１０の長手方向である。本実施形態では前記所定方向をＸ方向と称する場合もあり、前記所定方向と直交する方向をＹ方向と称する場合もある。
【００１８】
ベッド本体１０は、図１０等に示されるように、ネット２０と、ネット２０上に載置されるボード１００とを有する。
ネット２０は、図１および図２に示されるように、それぞれＸ方向に沿って延び互いにＹ方向に間隔をおいて配置された一対のサイドベルト３０と、それぞれＹ方向に沿って延び互いにＸ方向に間隔をおいて配置された一対のシース部材４０と、一対のサイドベルト３０の間および一対のシース部材４０の間に配置されたネット本体部５０とを有する。
【００１９】
サイドベルト３０は、布製のベルトを用いて作られている。本実施形態において、当該布又はベルトは、繊維を帯状又はシート状に加工したものであり、具体的には繊維から成る糸を織ること、繊維から成る糸を編むこと、これらの組合せを行うこと等により作られる。本実施形態ではサイドベルト３０の繊維はポリエステルであるが、他の繊維を用いることも可能である。
【００２０】
シース部材４０は、布又はシートを筒状に形成して作られる。本実施形態において、当該布は、繊維を帯状又はシート状に加工したものであり、具体的には繊維から成る糸を織ること、繊維から成る糸を編むこと、これらの組合せを行うこと等により作られる。本実施形態ではシース部材４０の繊維はナイロンであるが、他の繊維を用いることも可能である。布を筒状に形成するために様々な方法が採用され得る。シートは例えばプラスチック製である。例えば、帯状の布又はシートをその長手方向と直交する方向に巻き、帯状の布又はシートの前記直交する方向の端部同士を接合することによって、布又はシートが筒状になる。布は塩化ビニール樹脂等のプラスチックによってコーティングされていてもよい。
【００２１】
シース部材４０が筒状であることによって、図１、図３等に示されるように、シース部材４０内には、シース部材４０をその長手方向に挿通する貫通孔４１が設けられている。
【００２２】
図１、図２等に示されるように、ネット本体部５０は、複数の縦ベルト５１および複数の横ベルト５２を有する。複数の縦ベルト５１は、それぞれＸ方向に延び、互いにＹ方向に間隔をおいて配置されている。複数の横ベルト５２は、それぞれＹ方向に延び、互いにＸ方向に間隔をおいて配置されている。縦ベルト５１と横ベルト５２とが交差する交差部において、縦ベルト５１と横ベルト５２とが縫合されている。
【００２３】
縦ベルト５１および横ベルト５２は布製のベルトを用いて作られている。本実施形態において、当該布又はベルトは、繊維を帯状又はシート状に加工したものであり、具体的には繊維から成る糸を織ること、繊維から成る糸を編むこと、これらの組合せを行うこと等により作られる。本実施形態では縦ベルト５１および横ベルト５２の繊維はポリエステルであるが、他の繊維を用いることも可能である。
【００２４】
なお、本実施形態におけるＸ方向およびＹ方向に関する説明は、ネット２０を図１および図２のようにＸ−Ｙ平面上に広げて置いた場合の説明である。換言すると、ネット２０が図１６等のように撓んでいる時は、サイドベルト３０、シース部材４０、縦ベルト５１、横ベルト５２等の構成要素が本実施形態で説明する方向に延びない又は向かわない場合もある。また、ネット２０が折り畳まれた時は、これら構成要素が本実施形態で説明する方向に延びない又は向かわない場合がある。また、本実施形態におけるＸ方向およびＹ方向に関する説明は、これら構成要素がＸ方向およびＹ方向に完全に一致して延びること又は向かうことを意図するものではない。
【００２５】
各横ベルト５２の両端部は一対のサイドベルト３０にそれぞれ縫合されている。また、各縦ベルト５１の両端部は一対のシース部材４０にそれぞれ縫合されている。また、各サイドベルト３０の両端部は一対のシース部材４０にそれぞれ縫合されている。これにより、ネット本体部５０が一対のサイドベルト３０の間および一対のシース部材４０の間に配置され、ネット本体部５０が一対のサイドベルト３０の間および一対のシース部材４０によって支持されている。なお、本実施形態では、縦ベルト５１とサイドベルト３０とは同一のベルトを用いて作られている。
【００２６】
各縦ベルト５１の両端部の布又はベルトがそれぞれ折返され、折返した部分がシース部材４０に外側から抱き付く。また、折返した部分の端部が各縦ベルト５１の両端部に縫合され、また、折返した部分の一部がシース部材４０に縫合される。これにより、本実施形態では、各縦ベルト５１の両端部はシース部材４０にそれぞれ固定され、各縦ベルト５１の両端部がシース部材４０に対してシース部材４０の長手方向に動かない。
なお、ネット本体部５０として、他の公知のネットを用いることも可能である。この場合、縦ベルト５１および横ベルト５２の代わりに、複数の斜めベルト、複数の斜め紐等によってネット本体部５０が構成されていてもよい。
【００２７】
各サイドベルト３０の両端部の布又はベルトがそれぞれ折返され、折返した部分がシース部材４０に外側から抱き付く。また、折返した部分の端部が各サイドベルト３０の両端部に縫合され、また、折返した部分の一部がシース部材４０に縫合される。これにより、本実施形態では、各サイドベルト３０の両端部はシース部材４０にそれぞれ固定され、各サイドベルト３０の両端部がシース部材４０に対してシース部材４０の長手方向に動かない。
【００２８】
図１〜図３等に示されるように、ネット本体部５０は、複数の突出リング５３を有する。本実施形態では、突出リング５３はいつくかの横ベルト５２を延長して形成されている。各突出リング５３は、サイドベルト３０よりもネット２０のＹ方向外側に突出しており、横ベルト５２を形成するベルトの端部を折返して縫合することによって、各突出リング５３には貫通孔５３ａが形成されている。
【００２９】
図４、図５、図８等に示されるように、各吊りベルト６０は、シース部材４０の貫通孔４１を挿通し、一端側が被取付部であるレール２０１に着脱可能に取付けられる第１ベルト６１と、第１ベルト６１の他端側が挿通する挿通部７１ａを有し、他の被取付部であるレール２０２に着脱可能に取付けられるベルト挿通部材７０と、ベルト挿通部材７０に揺動可能に取付けられたカム部材８０と、カム部材８０に接続された第２ベルト６２とを有する。本実施形態では、一例として、レール２０１とレール２０２は同一構造を有する。
【００３０】
第１ベルト６１および第２ベルト６２は布製のベルトを用いて作られている。本実施形態において、当該布又はベルトは、繊維を帯状又はシート状に加工したものであり、具体的には繊維から成る糸を織ること、繊維から成る糸を編むこと、これらの組合せを行うこと等により作られる。本実施形態では第１ベルト６１および第２ベルト６２の繊維はポリエステルであるが、他の繊維を用いることも可能である。
【００３１】
第１ベルト６１の一端側にはリング６１ａを介して係合部材９０が取付けられている。図６に示されるように、係合部材９０は、本体９１と、本体９１にその軸方向に移動可能に取付けられているプランジャ部材９２とを有する。本体９１の軸方向の一端には円形のフランジ部９１ａが形成されている。係合部材９０は、プランジャ部材９２をフランジ部９１ａ側に向かって付勢するスプリング等の付勢部材９３も有する。
【００３２】
図６に示されるようにプランジャ部材９２を付勢部材９３の付勢力に抗して前記軸方向に移動させると、操作者は本体９１のフランジ部９１ａをレール２０１の溝２０１ａ内に幅広部２０１ｂから挿入できる。レール２０１の幅広部２０１ｂはフランジ部９１ａの外径よりも少し広く、レール２０１の幅狭部２０１ｃはフランジ部９１ａの外径よりも狭い。係合部材９０をレール２０１に取付ける時、操作者は、フランジ部９１ａを幅広部２０１ｂから溝２０１ａ内に挿入した後に、係合部材９０をレール２０１の長手方向に移動させ、フランジ部９０ａを幅狭部２０１ｃの位置に配置する。
【００３３】
そして、操作者は、プランジャ部材９２を離し、これによりプランジャ部材９２が付勢部材９３によってフランジ部９１ａ側に移動する。この時に、プランジャ部９２の一部がレール２０１の幅広部２０１ｂ内に配置される。幅狭部２０１ｃの溝幅方向の寸法はプランジャ部９２の溝幅方向の寸法よりも小さいので、上記操作により、係合部材９０がレール２０１に対してその長手方向に位置決めされた状態で、係合部材９０がレール２０１に取付けられる。
【００３４】
本体９１の軸方向の他端はリング６１ａに連結されており、第１ベルト６１の一端側は縫合等を用いてリング６１ａに連結されている。本実施形態では、前述の構造によって、第１ベルト６１の一端側はレール２０１に着脱可能に取付けられる。なお、公知の連結構造を用いて第１ベルト６１の一端側又はベルト挿通部材７０を天井に設けられたリング、フック等の被取付部に着脱可能に取付けることも可能である。
【００３５】
図５、図７等に示されるように、本実施形態のベルト挿通部材７０は、金属製の板部材をプレス加工することによって形成された本体７１を有する。なお、金属製の板部材の代わりに金属ブロック、プラスチック等を用いて同様の機能を有する本体７１を作ることも可能である。本体７１は、底板部７１ｂと、底板部７１ｂから底板部７１ｂと垂直な方向に延びる一対の壁部７１ｃとを有する。底板部７１ｂには第１ベルト６１の他端側が挿通する孔、切欠き等である挿通部７１ａが設けられている。一対の壁部７１ｃは第１ベルト６１の他端側と略平行な方向に延びており、挿通部７１ａを挿通する第１ベルト６１の端側および中間部側の一方が一対の壁部７１ｃの間に配置される。また、一対の壁部７１ｃの間に配置された第１ベルト６１は底板部７１ｂに沿って延びる。
【００３６】
なお、本実施形態の本体７１の底板部７１ｂは、挿通部７１によって２つに分けられている。第１ベルト６１は一方の底板部７１ｂに沿うと共に接触している。他方の底板部７１ｂはベルト、ワイヤ、チェーン、金属部品等の接続部材７２、リング７２ａ、および係合部材９０を介してレール２０２に取付けられる。このように本実施形態ではベルト挿通部材７０が間接的にレール２０２に取付けられるが、ベルト挿通部材７０の一部が直接レール２０２、レール２０１、その他の被取付部に取付けられてもよい。
【００３７】
他方の底板部７１ｂが接続部材７２、リング７２ａ、および係合部材９０によってレール２０２に吊るされるので、ベルト挿通部材７０において他方の底板部７１ｂが一方の底板部７１ｂよりも上方に配置される可能性が高い。このため、説明の便宜上、ベルト挿通部材７０において、他方の底板部７１ｂが配置されている側を上方、上側等と称し、一方の底板部７１ｂが配置されている側を下方、下側等と称する。
【００３８】
図７に示されるように、カム部材８０は、シャフト８１を介して一対の壁部７１ｃに揺動可能に支持されている。より具体的には、シャフト８１の両端はそれぞれ一対の壁部７１ｃに支持されており、カム部材８０はシャフト８１周りに揺動可能である。シャフト８１が底板部７１ｂ等の本体７１の他の部分に支持されていてもよい。カム部材８０は一端部と他端部とを有し、一端部がシャフト８１に支持されている側である。
【００３９】
カム部材８０の一端部と底板部７１ｂとの間には、一対の壁部７１ｃの間に配置された第１ベルト６１が配置されている。また、カム部材８０の一端部にはやや突出している突出部８０ａが設けられている。このため、図７に示される第１揺動方向にカム部材８０が揺動すると、突出部８０ａが底板部７１ｂに近付き、カム部材８０の一端部と底板部７１ｂとの間の隙間が狭まる。このため、カム部材８０が第１揺動方向に揺動すると、カム部材８０の一端側と底板部７１ｂとの間に第１ベルト６１が挟まれ、ベルト挿通部材７０に対する第１ベルト６１の移動が規制される。特に、第１ベルト６１の長手方向への移動が規制される。本実施形態では、カム部材８０の一端側の突出部８０ａの近傍に凹凸表面が形成されているので、第１ベルト６１の移動規制がより確実に行われる。
【００４０】
また、図７に示される第２揺動方向にカム部材８０が揺動すると、突出部８０ａが底板部７１ｂから遠ざかり、カム部材８０の一端部と底板部７１ｂとの間の隙間が広がる。これにより、ベルト挿通部材７０に対する第１ベルト６１の移動が許容される状態となる。
カム部材８０の他端側には、ボルト、リベット等の固定部材によって第２ベルト６２の一端が連結されている。他の方法によって第２ベルト６２の一端がカム部材８０の他端側に連結されてもよい。
【００４１】
図７に示されるように、ベルト挿通部材７０において、シャフト８１よりも上方にベルト支持部７３が設けられている。本実施形態のベルト支持部７３は両端がそれぞれ一対の壁部７１ｃによって支持されたシャフトである。当該シャフトは底板部７１ｂ等の本体７１の他の部分に支持されていてもよい。
【００４２】
第２ベルト６２におけるカム部材８０に固定された部分よりも他端側は、挿通部７１ａよりも上側の底板部７１ｂとベルト支持部７３との間を通った後、ベルト挿通部材７０の下方に向かう。ベルト支持部７３は、第２ベルト６２の他端を引っ張った時に、ベルト支持部７３が第２ベルト６２を所定の位置で指示し、これにより、カム部材８０を第２揺動方向に揺動させる方向に第２ベルト６２の一端を移動させるためのものである。このために、一例では、ベルト支持部７３と底板部７２ｂとの距離は、第２ベルト６２のカム部材８０に固定された部分と底板部７２ｂとの距離よりも小さい。これに限らず、ベルト支持部７３は、第２ベルト６２の他端を引っ張った時に、第２ベルト６２の一端を第２揺動方向に移動させることができるものであればよい。
【００４３】
他の例では、図１７に示されるように、ベルト支持部７３の代わりに、挿通部７１ａの一部がベルト支持部として機能してもよい。図１７の場合、第２ベルト６２におけるカム部材８０に固定された部分よりも他端側は、挿通部７１ａを通った後、ベルト挿通部材７０の下方に向かう。この場合でも、ベルト支持部と底板部７２ｂとの距離は、第２ベルト６２のカム部材８０に固定された部分と底板部７２ｂとの距離よりも小さい。このため、ベルト支持部は、第２ベルト６２の他端を引っ張った時に、第２ベルトが第１ベルト６１を介して挿通部７１ａの縁に支持され、第２ベルト６２の一端を第２揺動方向に移動させることができる。
【００４４】
さらに他の例では、ベルト支持部７３の代わりに、接続部材７２の一部、接続部材７２に取付けられた部品、リング７２ａ、レール２０２に取付けられた部品等が、ベルト支持部として機能してもよい。例えば、第２ベルト６２におけるカム部材８０に固定された部分よりも他端側が、リング７２ａを通った後、ベルト挿通部材７０の下方に向かってもよい。この場合でも、第２ベルト６２の他端を引っ張った時に、第２ベルト６２の一端を第２揺動方向に移動させることができ、又は、カム部材８０に第２揺動方向への力を加えることができる。
【００４５】
ボード１００は、図１８に示されるように、ハニカム構造を有する板状のコア部材１０１と、コア部材１０１の厚さ方向の両側に接着剤等によって貼付けられた板材１０２と、各板材１０２の露出面を覆う発泡樹脂材１０３とを有する。板材１０２がコア部材１０１の厚さ方向の一方の面だけに貼付けられていてもよい。コア部材１０１のハニカムの各柱の中心軸線は、コア部材１０１の厚さ方向に沿って延びている。このため、ハニカムの各柱が前記厚さ方向と直交する方向に中心軸線を有する場合と比較し、本実施形態のコア部材１０１は、板厚方向に潰れ難く、板厚方向に比較的柔軟に湾曲する。一方、発泡ウレタン等の方向性の無い材質でコア部材１０１が作られた場合と比較し、コア部材１０１の板厚方向の湾曲が抑制される傾向がある。このため、コア部材１０１を薄くしながらコア部材１０１の過大な湾曲を抑制することができる。コア部材１０１の過大な湾曲は寝心地に影響を与える。コア部材１０１の厚さは数ｃｍであり、収納時の省スペース化を考慮し、好ましくは５ｃｍ以下であり、より好ましくは３ｃｍ以下である。なお、ボード１００又はコア部材１０１が発泡ウレタン等の他の材質から成る板状部材であってもよい。
【００４６】
発泡樹脂材１０３はウレタン等の高分子材料等からなる。当該構成は、寝心地を改善するために有用である。発泡樹脂材１０３が厚くなるほど寝心地が向上する傾向がある。
一方、発泡ウレタン等から成る板状部材をカバー部材によって包んでボード１００を形成することも可能である。この場合、カバー部材は布部材にプラスチックのコーティングを行うことにより作られている。例えば、本実施形態において、当該布部材は、繊維をシート状に加工したものであり、具体的には繊維から成る糸を織ること、繊維から成る糸を編むこと、これらの組合せを行うこと等により作られる。本実施形態では布部材の繊維はナイロン、ポリエステル等であるが、他の繊維を用いることも可能である。本実施形態のコーティング用のプラスチックは塩化ビニール樹脂であるが、他のプラスチックを用いることも可能である。カバー部材が板状部材の厚さ方向の一方の面又は両方の面に固定されていてもよい。
【００４７】
前述の吊りベッドを用いる方法を説明する。図１１に示されるように、本実施形態では、住居内の部屋、乗り物内の部屋、貨物室等である部屋１にレール２０１およびレール２０２が固定されている。レール２０１は部屋１の天井に固定されており、レール２０２は部屋１の天井又は側壁の上端側に固定されている。レール２０１とレール２０２とはその長手方向と直交する方向に間隔をおいて配置されている。
【００４８】
吊りベッドが使用されていない状況では、図８および図９に示されるように、各吊りベルト６０のベルト挿通部材７０がレール２０２に取付けられ、第１ベルト６１の一端側はレール２０１等の被取付部に取付けられていない。このため、ネット２０および一対の吊りベルト６０がレール２０１から垂れ下がった状態となる。レール２０１が部屋１の壁に沿った位置に配置されていると、垂れ下がったネット２０および一対の吊りベルト６０も壁に沿った位置に配置される（図１３）。
【００４９】
このように、第１ベルト６１の一端側を被取付部から取り外すだけで容易に収納状態となり、収納状態におけるネット２０および一対の吊りベルト６０の配置は部屋１の他の用途のためのスペースに極力影響を与えないものである。なお、ベルト挿通部材７０をレール２０２等の被取付部に取付けずに、第１ベルト６１の一端側をレール２０１、レール２０２等の被取付部に取付けても、同様の収納状態となる。
なお、収納状態において、第１ベルト６１の他端側および第２ベルト６２の他端側を適宜引っ張ることにより、ネット２０および一対の吊りベルト６０の高さ位置を調節することができる。
【００５０】
続いて、収納状態で被取付部に取付けられていなかった第１ベルト６１の一端側をレール２０１に取付ける。これにより、図１０および図１１に示される状態となる。続いて、第１ベルト６１の他端側および第２ベルト６２の他端側を適宜引っ張ることにより、ネット２０の高さおよび姿勢を調整することができる。また、ネット２０の上にはボード１００が載置される。なお、第１ベルト６１の一端側を他の被取付部に取付けることも可能であり、第１ベルト６１の一端側を取外しできないように天井、側壁等の被取付部に取付けることも可能である。
【００５１】
ここで、念のために、ネット２０の高さおよび姿勢の調整方法を説明する。先ず、第２ベルト６２の他端側を引っ張らない状態において、ネット２０およびボード１００の重量によって、挿通部７１ａの下側の底板部７１ｂとカム部材８０の一端部との間の第１ベルト６１がベルト挿通部材７０の上方に向かって移動しようとする。ボード１００上に人が乗る場合も同様である。この時、カム部材８０の一端部と第１ベルト６１が接触するので、ベルト挿通部材７０の上方に向かって移動する第１ベルト６１によって、カム部材８０が第１揺動方向に揺動する。これにより、カム部材８０の突出部８０ａが底板部７１ｂに近付き、第１ベルト６１のベルト挿通部材７０の上方への移動が自動的に規制される。
【００５２】
この状態で、第２ベルト６２の他端側を引っ張ると、第２ベルト６２からカム部材８０に第２揺動方向に揺動させる力が加わる。当該力によってカム部材８０が第２揺動方向に揺動すると、カム部材８０の突出部８０ａが底板部７１ｂから離れ、第１ベルト６１がベルト挿通部材７０に対して上方および下方の何れにも移動可能となる。これにより、ベルト挿通部材７０と第１ベルト６１の一端側の係合部材９０との間の第１ベルト６１の長さが調整可能となる。
【００５３】
ここで、本実施形態では、各縦ベルト５１および各サイドベルト３０の両端部がシース部材４０に対してシース部材４０の長手方向に動かない。また、シース部材４０は筒状に形成されているので、シース部材４０がその長手方向に比較的変形し難い。また、シース部材４０の貫通孔４１を第１ベルト６１が挿通している。このため、第１ベルト６１とシース部材４０の内周面との摩擦によって、シース部材４０はその長手方向により変形し難い。
【００５４】
従って、図１０および図１１に示されるようにネット２０の上にボード１００が載置され、ボード１００の上に人が乗ってネット２０に大きな荷重が加わった際に、ネット２０のＸ方向の一端および他端がＹ方向に縮まり難い。これは、吊りベッドの安定性および寝心地の向上のために有利である。
【００５５】
また、図１６に示されるように、ボード１００が平面視で長方形であるならば、ボード１００の角が、サイドベルト３０、シース部材４０、サイドベルト３０の隣の縦ベルト５１、およびシース部材４０の隣の横ベルト５２によって形成される孔に挿入されてもよい。ボード１００の全ての角ではなく一部の角が当該孔に入るだけでもよい。これにより、ネット２０上でボード１００の位置が安定する。また、シース部材４０の長手方向の変形をボード１００が抑制する。これらは、吊りベッドの安定性および寝心地の向上のために有利である。
【００５６】
続いて、図１２に示されるように、第１ベルト６１の他端側および第２ベルト６２の他端側を適宜引っ張ることにより、ボード１００が載置されたネット２０を上方に移動させる。これにより、寝るための位置を上方に移動することが可能である。また、このようにネット２０およびボード１００を収納することも可能である。このような収納状態におけるネット２０および一対の吊りベルト６０の配置は、部屋１の他の用途のためのスペースに極力影響を与えないものである。
【００５７】
一方、図１４に示されるように、第１ベルト６１の一端側の係合部材９０を、部屋１の側壁の被取付部に取付けることも可能である。この場合、係合部材９０を用いずに、第１ベルト６１の一端側が取外しできない態様で部屋１の側壁の被取付部に取付けられてもよい。図１４では、レール２０２は側壁の近くに配置されているが、各吊りベルト６０のベルト挿通部材７０をレール２０２に取付け、第１ベルト６１の他端側および第２ベルト６２の他端側を適宜引っ張ることにより、ネット２０の高さおよび姿勢を調整することができる。また、このように設置したネット２０およびボード１００上における安定性を確保することも可能である。なお、図１４のように配置された吊りベッドをベンチとして使用することも可能である。
【００５８】
また、吊りベルト６０の第１ベルト６１の一端側の係合部材９０を取付ける被取付部に、当該吊りベルト６０のベルト挿通部材７０の係合部材９０を取付けてもよい。また、吊りベルト６０のベルト挿通部材７０を当該吊りベルト６０の第１ベルト６１の一端側に取付けてもよい。例えば、第１ベルト６１の一端側に係合部材９０と係合可能な部材が設けられている場合、ベルト挿通部材７０を第１ベルト６１の一端側に着脱可能に取付けることができる。これらの場合でも、吊りベッドに寝ること、座ること等が可能である。
【００５９】
また、図１５に示されるように、ネット２０のＹ方向の一方に配置された複数の突出リング５３に棒３００を挿通し、ネット２０のＹ方向の他方に配置された複数の突出リング５３にも棒３００を挿通し、これによりネット２０を担架として用いることも可能である。
また、荷物を固縛するためにネット２０を用いることも可能である。
【００６０】
本発明の第２実施形態に係る吊りベッドが、図面を用いながら以下説明されている。第２実施形態の吊りベッドは、第１実施形態のネット２０から一対のシース部材４０を省いたものである。第１実施形態と同様の構成要素には同一の符号を付し、その説明を割愛する。
【００６１】
図１９および２０に示されるように、図第２実施形態のネット２０は、一対のシース部材４０を持っていないが、各サイドベルト３０および各縦ベルト５１の両端部において、ベルトの端部が折返されると共に縫合されることによって貫通孔３０ａ，５１ａが形成されている。
第２実施形態の場合、各吊りベルト６０の第１ベルト６１が貫通孔３０ａ，５１ａを挿通している。
【００６２】
この場合でも、第１実施形態と同様の収納状態を実現することが可能であり、第１実施形態と同様にネット２０およびボード１００の高さ位置を調整することが可能である。
また、ネット２０におけるＸ方向の端部に配置された横ベルト５２、その隣の横ベルト５２、サイドベルト３０、およびその隣の縦ベルト５１によって形成される孔に長方形のボード１００の角部を挿入することにより、第１の実施形態と同様にネット２０上でボード１００の位置が安定し、ネット２０のＸ方向の端部のＹ方向への変形がボード１００によって抑制される。これらは、吊りベッドの安定性および寝心地の向上のために有利である。なお、ボード１００の角部が丸みを帯びた角部であっても、ボード１００の角部が前記孔に挿入されれば前述と同様の作用効果を奏する。
【００６３】
なお、第１実施形態および第２実施形態において、２つ又は３つの吊りベッドを上下方向に並べて吊るすことも可能である。例えば、レール２０１に２つの吊りベッドの第１ベルト６１の一端側の係合部材９０が取付けられ、レール２０２に２つの吊りベッドのベルト挿通部材７０を吊るす係合部材９０が取付けられる。
【００６４】
この場合でも、例えば各吊りベルト６０の第１ベルト６１の一端側の係合部材９０をレール２０１から取外すことによって、２つのネット２０を図８および図９に示される収納状態にすることができる。
また、各吊りベルト６０の第１ベルト６１の他端側および第２ベルト６２の他端側を適宜引っ張ることにより、２つのネット２０をボード１００が載置されたまま上方に移動し、図１２に示される収納状態にすることができる。
これらは、就寝の準備および起床後の準備を短時間で行うこと、他の用途のためのスペースに極力影響を与えないことについて、有用である。
【００６５】
また、第１および第２実施形態では、第２ベルト６２の一端がカム部材８０に直接接続されたものを示したが、カム部材８０を第２揺動方向に揺動させるためのレバーに第２ベルト６２の一端を接続することも可能である。この場合、レバーはギヤ等を介してカム部材８０に連結され、第２ベルト６２によってレバーを所定方向に倒すと、カム部材８０が第２揺動方向に揺動する。
【００６６】
さらに、カム部材がリニアガイド等によって底板部７１ｂに対して近付く方向および遠ざかる方向に移動可能に支持されていてもよい。この場合でも、底板部７１ｂに近付くとカム部材がベルト挿通部材７０の上方に移動する態様でリニアガイドが配置されていると、第１ベルト６１がベルト挿通部材７０に対して上方に移動した時に、当該移動によってカム部材が底板部７１ｂに近付く方向（第１方向）に移動し、第１および第２実施形態と同様に第１ベルト６１のベルト挿通部材７０の上方への移動が自動的に規制される。当該構成において、前記レバーとカム部材とがギヤ等によって連結されていれば、第２ベルト６２によってレバーを所定方向に倒した時に、カム部材８０を第１方向と反対の第２方向に移動させることができる。
【００６７】
なお、第１および第２実施形態では、ネット２０とボード１００とを有するベッド本体１０を示したが、ベッド本体１０がボード１００のＸ方向の両端部にシース部材４０等が取付けられたものであってもよく、ネット２０だけであってもよい。
ボード１００のＸ方向の両端部にシース部材４０等が取付けられる場合、ボード１００がより柔軟である方が好ましく、ボード１００の中又は下面に補強のためのベルト等が配置されることも考えられる。
ベッド本体１０がネット２０だけである場合、ネット２０の縦ベルト５１および横ベルト５２の上面にクッション性を向上するための発泡樹脂材を設けることが好ましい。
【００６８】
このように、本実施形態によれば、カム部材８０を第２揺動方向（第２方向）に動かす第２ベルト６２を有する。このため、第２ベルト６２を操作することによって、ベルト挿通部材７０による第１ベルト６１の移動規制を解除することができる。つまり、ベルト挿通部材７０が手の届きにくい高い位置等に配置されていても、ベルト挿通部材７０に対する第１ベルト６１のベルト長手方向の移動を行うことができる。つまり、ベルト挿通部材７０の位置に拘わらず、第１ベルト６１の一端側とベルト挿通部材７０との間の第１ベルト７０の長さ調整を行うことができる。
【００６９】
このため、例えば第１ベルト６１の一端側が部屋１の天井の被取付部であるレール２０１に取付けられ、ベルト挿通部材７０も部屋の天井の他の被取付部であるレール２０２に取付けられた状態で、第１ベルト６１の一端側とベルト挿通部材７０との間の第１ベルト６１の長さを短くし、ベッド本体１０を天井の近くに配置して収納状態にすることができる。使用時は第２ベルト６２の操作により第１ベルト６１を長くすればよい。このような容易な作業で収納状態と使用状態との変更を行うことができるので、設置するための調整が効率化されていると言える。また、不使用時の占有スペースを小さくすることもできる。
【００７０】
また、第１実施形態では、ベッド本体１０が、それぞれＸ方向に沿って延び互いにＸ方向と直交するＹ方向に間隔をおいて配置された一対のサイドベルト３０と、それぞれＹ方向に沿って延び互いにＸ方向に間隔をおいて配置された一対のシース部材４０と、一対のサイドベルト３０の間および一対のシース部材４０の間に配置されたネット本体部５０とを有し、各シース部材４０内には、各シース部材４０をその長手方向に挿通する貫通孔４１が設けられている。
【００７１】
当該構成では、貫通孔４１がシース部材４０内に設けられており、シース部材４０がベッド本体１０のＸ方向の一端側および他端側に配置されている。シース部材４０は筒状であることから、シース部材４０はベルト部材に比べてその長手方向に変形し難い傾向がある。また、シース部材４０の内周面と第１ベルト６１との間の摩擦によって、シース部材４０はその長手方向により変形し難くなる。このため、ネット本体部５０に大きな荷重が加わった際に、ベッド本体１０のＸ方向の一端および他端がＹ方向に縮まり難い。これは、吊りベッドの安定性および寝心地の向上のために有利である。
【００７２】
また、第１および第２実施形態では、ベッド本体１０が、Ｘ方向の一端側および他端側に貫通孔３０ａ，５３ａが設けられたネット２０と、ネット２０上に載置されるボード１００とを備える。
当該構成では、ボード１００とネット２０とが別体となっているので、収納時の自由度が高くなる。
【００７３】
また、第１および第２実施形態では、ボード１００が平面視で略長方形であり、ボード１００がネット２０上に載置された状態で、ネット２０の孔又はネット２０と第１ベルト６１との間に形成される孔にボード１００の角部が挿入される。
当該構成では、ネット２０の孔又はネット２０と第１ベルト６１との間に形成される孔に略長方形のボード１００の角部を挿入することにより、ネット２０上でボード１００の位置が安定し、ネット２０のＸ方向の端部のＹ方向への変形がボード１００によって抑制される。これらは吊りベッドの安定性および寝心地の向上のために有利である。
【００７４】
また、第１および第２実施形態では、カム部材８０の動作は揺動動作であり、カム部材８０が、第１揺動方向に動くことによりベルト挿通部材７０に対する第１ベルト６１の他端側のベルト長手方向への移動を規制し、第１揺動方向と反対方向である第２揺動方向に動くことにより第１ベルト６１の前記移動を許容するものである。
当該構成は、ベルト挿通部材７０に対し第１ベルト６１がベルト長手方向に移動する時に自動でカム部材８０が第１揺動方向に移動する機構を容易且つ強固に作るために有利である。
【００７５】
なお、第１および第２実施形態において、第２ベルト６２は第１ベルト６１と異なる色、異なるマーク、異なる太さ、異なる形状、異なる表面状態等を有しており、これにより第２ベルト６２が第１ベルト６１と識別できる態様であってもよい。当該構成は、第１ベルト６１および第２ベルト６２を用いながら、吊りベッドの位置および姿勢の調整を容易且つ確実に行うことができる。
【符号の説明】
【００７６】
１  部屋
１０  ベッド本体
２０  ネット
３０  サイドベルト
３０ａ  貫通孔
４０  シース部材
４１  貫通孔
５０  ネット本体部
５１  縦ベルト
５１ａ  貫通孔
５２  横ベルト
５３  突出リング
５３ａ  貫通孔
６０  吊りベルト
６１  第１ベルト
６２  第２ベルト
７０  ベルト挿通部材
７１  本体
７１ａ  挿通部
７１ｂ  底板部
７３  ベルト支持部
８０  カム部材
８０ａ  突出部
８１  シャフト
９０  係合部材
９１  本体
９１ａ  フランジ部
９２  プランジャ部材
９３  付勢部材
２０１  レール
２０２  レール
【図１】
2020078430.tif 000003
【図２】
2020078430.tif 000004
【図３】
2020078430.tif 000005
【図４】
2020078430.tif 000006
【図５】
2020078430.tif 000007
【図６】
2020078430.tif 000008
【図７】
2020078430.tif 000009
【図８】
2020078430.tif 000010
【図９】
2020078430.tif 000011
【図１０】
2020078430.tif 000012
【図１１】
2020078430.tif 000013
【図１２】
2020078430.tif 000014
【図１３】
2020078430.tif 000015
【図１４】
2020078430.tif 000016
【図１５】
2020078430.tif 000017
【図１６】
2020078430.tif 000018
【図１７】
2020078430.tif 000019
【図１８】
2020078430.tif 000020
【図１９】
2020078430.tif 000021
【図２０】
2020078430.tif 000022